(57)【要約】      （修正有）【課題】商品情報が十分に記載でき、剥がれたり、印刷情報が消えたりすることがなく、包材のデザイン性も損なわず、包装体の積み上げ状態においても商品の種類が識別できる袋束の包装体を提供する。【解決手段】袋束の包装体は、上縁に開口部を有し、両側及び底部を閉塞してなる袋状であって、上端に折返しにより開口部を閉じるための封止片５を備え、表面の一部に透明部を設け、表面と封止片との境界部分の一部に側面透明部を設けた包材ａと、前記包材に収納される複数枚束ねてなる袋束ｂと、前記包材の全長にわたる表示部２０と、前記包材の上端において前記袋束を挟み込んだ折返し片２１とからなる情報表示帯ｃとからなる。情報表示帯が包材の表面透明部及び側面透明部に位置するように包材内に収納してなることを特徴とするものである。【選択図】図２
2010100322.tif 000002
【特許請求の範囲】
【請求項１】
上縁に開口部を有し、両側及び底部を閉塞してなる袋状であって、上端に折返しにより開口部を閉じるための封止片を備え、少なくとも表面の一部に表面透明部を設け、少なくとも表面と封止片との境界部分の一部に側面透明部を設けた包材と、
前記包材に収納される複数枚束ねてなる袋束と、
前記包材の全長にわたる長さの表示部と、前記包材の上端において前記袋束を挟み込んで折り返す折返し片とからなる情報表示帯とからなり、
前記情報表示帯は、前記袋束の片面側上に重ねると共に袋束を折返し片により挟み込み、そして、情報表示帯が包材の表面透明部及び側面透明部に位置するように包材内に収納してなる、
ことを特徴とする袋束の包装体。
【請求項２】
情報表示帯が、その折返し片により袋束を挟み込んだ状態で包材に収納され、封止片を折り返すことによって、包材の開口部が閉じられてなることを特徴とする請求項１に記載の袋束の包装体。
【請求項３】
情報表示帯が、その折返し片により袋束を挟み込まない状態で包材に収納され、封止片と折返し片とを重ねて折り返し、折返し片により袋束を挟み込むのと共に封止片により包材の開口部が閉じられてなることを特徴とする請求項１に記載の袋束の包装体。
【発明の詳細な説明】
【技術分野】
【０００１】
本発明は、袋を複数枚束ねてなる袋の束（以下、「袋束」という）を包材により包装した包装体に関し、特に袋束を情報表示帯と共に包装した包装体に関する。
【背景技術】
【０００２】
従来、例えば袋などの商品は、複数枚束ねてなる袋束を透明な包材に収納した包装体の形態で取り扱われている。そして、袋束の枚数、サイズ、材質などの種々の情報は別のラベルに表示され、この情報を表示したラベルが包装体の表面に貼付されるのが一般的である。
【発明の開示】
【発明が解決しようとする課題】
【０００３】
しかしながら、上記のようなラベルでは、その面積上、商品情報の記載に限界があり、また、貼付しているために部分的に剥がれたり、商品情報の印刷が摩耗などにより消えかかるなどの欠点があった。また、包材に美麗なデザインを施しても、ラベルを貼付することにより美麗さを損なうことにもなっている。さらに、包装体を積み重ねた場合には、その積み上げ状態における側面には何も表れないために、どのような種類の商品かを判別することができず、したがって、商品の種類を判別するための何らかの表示手段を講じなければならない欠点があると共に、売場に包装体を積み上げた状態が無味乾燥であり、売場に対して装飾性の乏しいものであった。
【０００４】
本発明は、上記の実情に鑑みてなされたものであり、商品情報が十分に記載でき、剥がれたり、印刷情報が消えたりすることがなく、包材のデザイン性も損なわず、包装体の積み上げ状態においても商品の種類が識別でき、売場などに包装体を積み上げた場合に装飾的効果を果たす袋束の包装体を開発した。
【課題を解決するための手段】
【０００５】
本発明に係る袋束の包装体は、上縁に開口部を有し、両側及び底部を閉塞してなる袋状であって、上端に折返しにより開口部を閉じるための封止片を備え、少なくとも表面の一部に表面透明部を設け、少なくとも表面と封止片との境界部分の一部に側面透明部を設けた包材と、前記包材に収納される複数枚束ねてなる袋束と、前記包材の全長にわたる長さの表示部と、前記包材の上端において前記袋束を挟み込んで折り返す折返し片とからなる情報表示帯とからなり、前記情報表示帯は、前記袋束の片面側上に重ねると共に袋束を折返し片により挟み込み、そして、情報表示帯が包材の表面透明部及び側面透明部に位置するように包材内に収納してなることを特徴とするものである。
【０００６】
本発明に係る袋束の包装体を上記のように構成したため、情報表示帯の表示部により商品に関する情報が十分に記載できるスペースが得られる。包材表面の透明部分を通して情報表示帯の表示部に記載の商品情報が包材外部から目視できる。また、情報表示帯が包材の中に収納されているので、情報表示帯に対する外的影響が及ばず、包材のデザインに対する影響もない。さらに、包装体を積み上げた状態において、側面透明部から情報表示帯の一部である表示部と折返し片との境界部分が表れる。しかも、包装体を積み上げた状態においては、側部透明部から目視できる情報表示帯の一部である表示部と折返し片との境界部分が積み上げ方向に一筋に連なって表れる。さらにまた、包装体は、情報表示帯の表示部と折返し片とにより袋束を挟み込む状態で形成され、かつ、表示部が包材の全長にわたる長さであることにより、情報表示帯が包材内で移動するのが阻止される。
【０００７】
なお、情報表示帯は、その折返し片により袋束を挟み込んだ状態で包材に収納され、封止片を折り返すことによって包材の開口部が閉じられてなる構成と、その折返し片により袋束を挟み込まない状態で包材に収納され、封止片と折返し片とを重ねて折り返し、折返し片により袋束を挟み込むのと共に封止片により包材の開口部が閉じられてなる構成とがある。
【発明の効果】
【０００８】
上記のように本発明に係る袋束の包装体を構成したので、情報表示帯の表示部に商品に関する情報が十分に記載でき、包材表面の透明部分を通して情報表示帯の表示部に記載の商品情報を確認することができる。また、情報表示帯が包材の中に収納されているので、情報表示帯が剥がれたり、情報表示帯の記載内容が摩耗等によって消えるようなことがなく、かつ、包材のデザインを損なうおそれもない。さらに、包装体を積み上げた状態においても、側面透明部から情報表示帯の一部である表示部と折返し片との境界部分が表れるので、これにより商品の種類を判別することが可能となる。しかも、包装体を積み上げた状態においては、側部透明部から目視できる情報表示帯の一部である表示部と折返し片との境界部分が積み上げ方向に一筋に連なって表れるので、包装体の積み上げ状態が売場などの環境に一種の装飾的効果をもたらす。さらにまた、情報表示帯は、表示部と折返し片とにより袋束を挟み込む状態で包装体が形成され、表示部が包材の全長にわたる長さを有しているので、包材内で情報表示帯が移動することがない。
【発明を実施するための最良の形態】
【０００９】
以下に本発明の一実施例を添付の図面に基づいて説明する。
【実施例１】
【００１０】
図１〜図７は本発明の実施例１に係る包装体を示し、図１は包装体を包材、袋束及び情報表示帯に分解した分解斜視図であり、図２は包装体について、包材に袋束及び情報表示帯を収納する第１の状態を裏面側から見た斜視図であり、図３は包装体について、包材に袋束及び情報表示帯を収納する第２の状態を裏面側から見た斜視図であり、図４は包装体の裏面側から見た斜視図であり、図５は包装体の要部の上部縦断面図であり、図６は包装体の表面側から見た斜視図であり、図７は包装体を積み上げた状態を示す斜視図である。
【００１１】
図１において、ａは包材を示し、ｂは包材Ａ内に収納される商品であって、袋を複数枚束ねた袋束を示し、ｃは袋束ｂと共に包材Ａ内に収納される情報表示帯を示す。
【００１２】
包材ａは、表裏２枚の透明樹脂フィルムａ１、ａ２の両側及び底部を閉塞してなるものであって、上縁に開口部１を有し、両側２、３及び底部４を閉塞してなる袋状の形態をなしている。そして、表面フィルムのａ１の上端には、開口部１を閉じるための封止片５が上縁から延設されており、該封止片５を裏面フィルムａ２側に折返すことにより、開口部１が閉じられるようになっている。なお、本実施例においては、包材ａ全体を透明樹脂フィルムで構成しているが、これに限られるものではなく、後述する情報表示帯ｃの表示部２０に記載されている商品に関する情報が透視できる程度に包材ａの表面の一部に表面透明部６（図６において一点鎖線が囲まれる部分）を設け、それ以外の箇所は適当なデザインを施してもよい。また、包材ａの表面と封止片５との境界部分７の一部に側面透明部８（図４において一点鎖線が囲まれる部分）を設け、情報表示帯ｃの一部である表示部２０と折返し片２１との境界部分２２が表れるように構成してもよい。
【００１３】
袋束ｂは、透明の合成樹脂製袋を例に挙げることができるが、これに限られるものではなく、束ねてひとまとまりにできる袋であれば、どのようなものでもよい。
【００１４】
情報表示帯ｃは、包材ａの全長にわたる長さの表示部２０と、該表示部２０の上端に連設する折返し片２１とから構成される。表示部には、商品である袋束の袋の枚数、サイズ、材質、用途、用法などの商品の情報を記載することができる。該折返し片２１は、包材ａの上端において前記袋束ｂを挟み込むように折り返して使用する。２２は表示部２０と折返し片２１との境界部分を表す。なお、前記表示部２０の下端にも袋束ｂを挟み込むための折返し片を設けた構成としてもよい。
【００１５】
そして、図２及び図３に示すように、情報表示帯ｃは、その表示部２０を袋束ｂの片面側上（図においては裏面側）に重ね、折返し片２１を袋束ｂの上端ｂ１において折り返して袋束ｂを挟み込んだ状態で、袋束ｂを情報表示帯ｃと共に包材ａ内に収納する。この収納の際、本実施例においては、包材全体が透明であるので、特に注意を要しないが、前述したように、包材ａにデザインを施し、表面の一部に表面透明部６を設け、包材ａの表面と封止片５との境界部分７の一部に側面透明部８を設けた場合には、表面透明部６の位置に情報表示帯ｃにおける表示部２０に記載の商品情報が合致するように、また、側面透明部８の位置に情報表示帯ｃの一部である表示部２０と折返し片２１との境界部分２２が合致するように、それぞれ位置決めして包材ａに収納する。そして、図４〜図６に示すように、封止片５を裏面フィルムａ２側に折り返すことにより、包材ａの開口部１が閉塞され、包装体Ａが完成する。本実施例においては、図５の拡大断面図示すように、情報表示帯ｃの折返し片２１は裏面フィルムａ２の内側に位置することとなる。
【００１６】
この完成した包装体Ａを、図７に示すように、積み上げた場合には、側面透明部８から表れる情報表示帯ｃの一部である表示部２０と折返し片２１との境界部分２２が積み上げ方向、通常は上下方向に一筋に連なって表れる。したがって、包装体Ａを積み上げた場合には、前記境界部分２２により縦方向のストライプ柄として表れ、また、商品の種類によって境界部分２２の色等を変更すれば、商品の種類が判別できて便利である。
【００１７】
上記のように本実施例１に係る包装体Ａを構成することにより、情報表示帯ｃの表示部２０に商品に関する情報が十分に記載でき、包材ａの表面透明部６を通して情報表示帯ｃの表示部２０に記載の商品情報を確認することができる。また、情報表示帯ｃが包材ａの中に収納されているので、情報表示帯ｃが剥がれたり、情報表示帯ｃの記載内容が摩耗等によって消えるようなことがなく、かつ、包材ａのデザインを損なうおそれもない。さらに、包装体Ａを積み上げた状態においても、側面透明部８から情報表示帯ｃの一部である表示部２０と折返し片２１との境界部分２２が表れるので、これにより商品の種類を判別することが可能となる。しかも、包装体Ａを積み上げた状態においては、側部透明部８から目視できる情報表示帯ｃの一部である表示部２０と折返し片２１との境界部分２２が積み上げ方向に一筋に連なって表れるので、包装体Ａの積み上げ状態が売場などの環境に一種の装飾的効果をもたらす。さらにまた、情報表示帯ｃは、表示部２０と折返し片２１とにより袋束ｂを挟み込む状態になり、かつ、包材ａのの全長にわたる長さを有していて遊びがないので、包材ａ内で情報表示帯ｃが移動することがない。
【実施例２】
【００１８】
図８〜図１１は本発明の実施例２に係る包装体を示し、図８は包装体について、包材に袋束及び情報表示帯を収納する第１の状態を裏面側から見た斜視図であり、図９は包装体について、包材に袋束及び情報表示帯を収納する第２の状態を裏面側から見た斜視図であり、図１０は包装体の裏面側から見た斜視図であり、図１１は包装体の要部の上部縦断面図である。
【００１９】
実施例１における包装体Ａは、情報表示帯ｃの表示部２０と折返し部２２とにより袋束ｂを挟み込んだ状態で包材ａに収納して形成されたものであるが、本実施例２における包装体Ｂは、折返し片２２を折り返す工程が実施例１と相違するものである。したがって、実施例１における包材ａ、袋束ｂ及び情報表示帯ｃの構成自体は変わらないので、実施例１における図１、図６及び図７は実施例２においても共通であり、符号も共通とする。
【００２０】
実施例２における包装体Ｂは、図８に示すように、折返し片２２により袋束ｂを挟み込まない状態で包材ａに収納し、図９に示すように、袋束ｂをある程度収納した時点で、折返し片２２が包材ａ内に入らないよう折り返す。そして、封止片５と折返し片２２とを重ねて包材ａの裏面フィルムａ２側に折り返し、図１０に示すように、折返し片２２により袋束ｂを挟み込むのと共に封止片５により包材ａの開口部１を閉塞する。包装体Ｂは、表面側の外観としては、図６に示す実施例１の包装体Ａと同様となる。
【００２１】
この包装体Ｂにおいては、図１１に示すように、情報表示帯ｃの折返し片２２が裏面フィルムａ２と封止片５とにより挟み込まれる状態となるので、実施例１の包装体Ａよりも情報表示帯ｃが移動しない利点がある。
【図面の簡単な説明】
【００２２】
【図１】実施例１に係る包装体を包材、袋束及び情報表示帯に分解した分解斜視図である。
【図２】実施例１に係る包装体について、包材に袋束及び情報表示帯を収納する第１の状態を裏面側から見た斜視図である。
【図３】実施例１に係る包装体について、包材に袋束及び情報表示帯を収納する第２の状態を裏面側から見た斜視図である。
【図４】実施例１に係る包装体の裏面側から見た斜視図である。
【図５】実施例１に係る包装体の要部の上部縦断面図である。
【図６】実施例１に係る包装体の表面側から見た斜視図である。
【図７】実施例１に係る包装体を積み上げた状態を示す斜視図である。
【図８】実施例２に係る包装体について、包材に袋束及び情報表示帯を収納する第１の状態を裏面側から見た斜視図である。
【図９】実施例２に係る包装体について、包材に袋束及び情報表示帯を収納する第２の状態を裏面側から見た斜視図である。
【図１０】実施例２に係る包装体の裏面側から見た斜視図である。
【図１１】実施例２に係る包装体の要部の上部縦断面図である。
【符号の説明】
【００２３】
Ａ・・・・包装体
Ｂ・・・・包装体
ａ・・・・包材
ａ１・・・表面フィルム
ａ２・・・裏面フィルム
１・・・・開口部
２・・・・左側部
３・・・・右側部
４・・・・底部
５・・・・封止片
６・・・・表面透明部
７・・・・境界部分
８・・・・側面透明部
ｂ・・・・袋束
ｂ１・・・袋束の上端
ｃ・・・・情報表示帯
２０・・・表示部
２１・・・折返し片
２２・・・境界部分
【図１】
2010100322.tif 000003
【図２】
2010100322.tif 000004
【図３】
2010100322.tif 000005
【図４】
2010100322.tif 000006
【図５】
2010100322.tif 000007
【図６】
2010100322.tif 000008
【図７】
2010100322.tif 000009
【図８】
2010100322.tif 000010
【図９】
2010100322.tif 000011
【図１０】
2010100322.tif 000012
【図１１】
2010100322.tif 000013